(57)【特許請求の範囲】
【請求項１】
携帯電話機から所定の信号を受信する近距離無線通信手段と、
上記近距離無線通信手段を介して、上記携帯電話機から所定間隔毎に送信されているポーリング信号を受信したとき、当該携帯電話機と無線接続状態にあることを検出する無線接続状態検出手段と、
上記無線接続状態検出手段によって上記無線接続状態にあることを検出し、上記携帯電話機が通話中であることを認識したとき、上記携帯電話機から上記近距離無線通信手段を介して受信した電池残量警告信号に基づいて当該携帯電話機の電池残量が規定量以下であるか否かを判定する携帯側電池残量判定手段と、
自身のバッテリの電池残量が規定量以下であるか否かを判定する自身電池残量判定手段と、
上記携帯側電池残量判定手段により当該携帯電話機の電池残量が規定量以下であることを判定したとき所定の携帯側警告音を出力し、又は上記自身電池残量判定手段により上記バッテリの電池残量が規定量以下であることを判定したとき所定の自身側警告音を出力する警告音出力手段と
を具えるハンズフリーヘッドセット。
【請求項２】
上記警告音出力手段は、
上記無線接続状態検出手段によって上記無線接続状態にあることを検出した後、上記携帯電話機が通話中ではなく、上記携帯電話機から上記近距離無線通信手段を介して所定の通信データを受信したことを認識したとき、その旨を通知するための通信データ警告音を出力する
請求項１に記載のハンズフリーヘッドセット。
【発明の詳細な説明】
【０００１】
【発明の属する技術分野】
本発明はハンズフリーヘッドセットに関し、例えば携帯電話機と無線接続された音声通話用のハンズフリーヘッドセットに適用して好適なものである。
【０００２】
【従来の技術】
従来、携帯電話機を使用しているユーザが、例えば自動車を運転中に当該携帯電話機を保持することなく通話を行うために開発されたものとしてハンズフリーヘッドセットと呼ばれるものがある。
【０００３】
このハンズフリーヘッドセットは、頭部に装着された状態でユーザの耳部分にイヤーホンのスピーカが配置されると共に、口元にマイクロフォンが配置されるようになされており、当該ハンズフリーヘッドセットと直接無線接続された携帯電話機を介して当該携帯電話機を保持することなく、他の携帯電話機等と音声通話を行い得るようになされている。
【０００４】
【発明が解決しようとする課題】
ところでかかる構成のハンズフリーヘッドセットにおいては、当該ハンズフリーヘッドセットに直接無線接続された携帯電話機と、基地局とが呼を確立していない状態すなわち待ち受け状態のとき、音声通話が行われているわけでもないので、携帯電話機とハンズフリーヘッドセットとが正常に無線接続されているか否かをユーザに対して認識させることが困難であるという問題があった。
【０００５】
またハンズフリーヘッドセットにおいては、携帯電話機と直接無線接続されているので当該携帯電話機を鞄やポケット等に入れた状態で使用されることが多い。このためユーザは、携帯電話機のバッテリー残量や着呼内容（音声通話、ショートメッセージ又はデータ通信のいずれであるか）を確認する際、携帯電話機を鞄やポケット等から一々取り出して視認しなければならず、煩雑な操作を要するという問題があった。
【０００６】
本発明は以上の点を考慮してなされたもので、一段と使い勝手の優れたハンズフリーヘッドセットを提案しようとするものである。
【０００７】
【課題を解決するための手段】
かかる課題を解決するため本発明においては、携帯電話機から所定の信号を受信する近距離無線通信手段と、近距離無線通信手段を介して、携帯電話機から所定間隔毎に送信されているポーリング信号を受信したとき、当該携帯電話機と無線接続状態にあることを検出する無線接続状態検出手段と、無線接続状態検出手段によって無線接続状態にあることを検出し、携帯電話機が通話中であることを認識したとき、携帯電話機から近距離無線通信手段を介して受信した電池残量警告信号に基づいて当該携帯電話機の電池残量が規定量以下であるか否かを判定する携帯側電池残量判定手段と、自身のバッテリの電池残量が規定量以下であるか否かを判定する自身電池残量判定手段と、携帯側電池残量判定手段により当該携帯電話機の電池残量が規定量以下であることを判定したとき所定の携帯側警告音を出力し、又は自身電池残量判定手段によりバッテリの電池残量が規定量以下であることを判定したとき所定の自身側警告音を出力する警告音出力手段とを設けるようにする。
【０００８】
これにより、携帯電話機と無線接続状態にあって、かつ携帯電話機が通話中であるときに、携帯電話機の電池残量又は自身のバッテリの電池残量が規定量以下であることを検出すると、携帯側警告音又は自身側警告音を出力することにより、通話中に電池切れが生じる可能性があることを予め通知することができる。
【０００９】
【発明の実施の形態】
以下図面について、本発明の一実施の形態を詳述する。
【００１０】
（１）ディジタル携帯電話システムの全体構成
図１において、１は全体としてセルラー方式のディジタル携帯電話システムを示し、公衆回線網２に接続された基地局３及び４を介して携帯電話機５及び６が互いに無線通信し得るようになされている。
【００１１】
実際上、携帯電話機５から携帯電話機６へ発呼する場合、携帯電話機５はユーザによって入力された相手の電話番号を基にダイヤル発信することにより基地局３と無線接続する。基地局３は、公衆回線網２を介して基地局４と接続し、当該基地局４を介して携帯電話機６と無線接続することにより、携帯電話機５と携帯電話機６との呼を確立させ、携帯電話機５及び６間で音声通話、ショートメッセージの送受信あるいはパケットデータによるデータ通信等を実行し得るようになされている。
【００１２】
因みに公衆回線網２に接続されている有線電話機についても、基地局３又は４を介して携帯電話機５又は６と無線接続することにより、有線電話機と携帯電話機５又は６との呼を確立するようになされている。
【００１３】
なお携帯電話機５は、無線通信規格である Bluetooth（ブルートゥース：商標）に準拠した無線通信方式によってハンズフリーヘッドセット７と無線接続し得るようになされており、これによりユーザがハンズフリーヘッドセット７を介して携帯電話機６や有線電話機との間で無線通信し得るようになされている。
【００１４】
ここでハンズフリーヘッドセット７は、ユーザの頭部に装着された状態で耳部分にスピーカ７Ａ及び７Ｂが配置されると共に、口元部分にマイクロフォン７Ｃが配置されるようになされており、ユーザが携帯電話機５を保持することなく音声通話を行い得るようになされている。
【００１５】
因みに Bluetoothは、標準化団体である Bluetooth SIG（Special Interest Group）によって標準化された近距離無線データ通信規格であり、2.4[GHz]帯のＩＳＭ（Industrial Scientific Medical ）バンドに帯域幅１[MHz] のチャネルを７９個設定し、１秒間に１６００回チャネルを切り換える周波数ホッピング方式のスペクトラム拡散通信方式を用い、データ伝送速度１[Mbit/秒] （実効 721[kbit/秒] ）で約１０[m] 程度の距離を無線でデータ通信し得るようになされたものである。
【００１６】
実際上、携帯電話機５は、例えば携帯電話機６から着呼があった場合、着信通知をハンズフリーヘッドセット７を介してユーザに送信するようになされており、これによりユーザはハンズフリーヘッドセット７を介して他の携帯電話機６と通話を開始する。
【００１７】
また携帯電話機５は、ハンズフリーヘッドセット７のマイクロフォン７Ｃを介してユーザから音声で入力された相手先名又は相手先電話番号を音声認識手段によって認識することにより自動的に発呼処理を行うようになされている。これによりユーザは、携帯電話機５を直接操作することなくハンズフリーヘッドセット７を介して発呼処理を制御し得るようになされている。
【００１８】
（２）携帯電話機及びハンズフリーヘッドセットの回路構成
次に、携帯電話機５及びハンズフリーヘッドセット７の回路構成について具体的に説明する。まず図２に示すように携帯電話機５は、受信時、アンテナ１１で受信した基地局３からの受信信号Ｓ１をセレクタ１２を介して受信ＲＦ(Radio Frequency) 部１３に入力する。
【００１９】
受信ＲＦ部１３は、受信信号Ｓ１に対して帯域制限及びゲインコントロールを行うことにより適正な信号レベルの受信信号Ｓ２を生成し、これをミキサー１４に送出する。
【００２０】
ミキサー１４は、受信ＲＦ部１３から供給された受信信号Ｓ２と、局部発信回路１５から供給される所定周波数の局部発信信号Ｓ１５とを乗算することにより、所定周波数の受信信号Ｓ３に周波数変換し、これを受信インターフェース部１６に送出する。
【００２１】
受信インターフェース部１６は、受信信号Ｓ３をアナログ／ディジタル変換することによりディジタルの受信データＤ４を生成し、これを復調部１７に送出する。
【００２２】
復調部１７は、受信データＤ４に対して復調処理を施すと共に、デインターリーブ処理及びエラー訂正処理等を行うことによりフェージングの影響を除去した後、その結果得られるデータの種類判別を行い、復調結果の種類が音声データＤ５であった場合には当該音声データＤ５を音声復号部１８に送出し、復調結果の種類が通信データＤ６であった場合には、当該通信データＤ６を通信データ復号部２１に送出する。
【００２３】
音声復号部１８は、音声データＤ５を伸長し復号処理した後、ディジタルアナログ変換することによりアナログの音声信号Ｓ６を復元し、これをアンプ１９を介して所定レベルに増幅した後、スピーカ５Ａを介して出力する。
【００２４】
通信データ復号部２１は、通信データＤ６を復号処理することにより最終的な元の通信データＤ７を復元し、これをデータバス２９、ＣＰＵバス３０及びＩ(In)／Ｏ(Out) コントローラ３１からデータインターフェース３４を介して例えばコンピュータ等の外部装置（図示せず）へ出力するか、もしくはＩ／Ｏコントローラ３１から表示部３２を介して通信データＤ７に基づくショートメッセージを表示する。
【００２５】
これに対して携帯電話機５は、送信時、マイクロフォン５Ｂ（図１）を介して集音した音声信号Ｓ７をアンプ２２によって所定の信号レベルに増幅することにより音声信号Ｓ８を生成し、これを音声符号化部２３へ送出する。
【００２６】
音声符号化部２３は、音声信号Ｓ８を所定のサンプリング周波数で符号化した後に圧縮し、所定ブロック毎に区分けすることによりディジタルの音声データＤ９を生成し、これを変調回路２４へ送出する。
【００２７】
因みに音声符号化部２３は、音声データＤ９を音声復号部１８にも送出するようになされており、相手の音声だけではなくユーザ自身の音声についてもスピーカ５Ａを介して出力するようになされている。
【００２８】
ところで通信データ符号化部２８は、外部装置（図示せず）からデータインターフェース３４、Ｉ／Ｏコントローラ３１、ＣＰＵバス３０を介して通信データＤ８が入力されると、これを圧縮符号化することにより符号化通信データＤ１０を生成し、これを変調回路２４に送出する。
【００２９】
変調回路２４は、音声データＤ９又は符号化通信データＤ１０に対してインターリーブ処理及び変調処理を施すことにより送信データＤ１１を生成し、これを送信インターフェース部２５へ送出する。送信インターフェース部２５は、送信データＤ１１をディジタル／アナログ変換することによりアナログの送信信号Ｓ１２を生成し、これをミキサ２６に送出する。
【００３０】
ミキサ２６は、送信インターフェース部２５から供給された送信信号Ｓ１２と、局部発信回路１５から供給される所定周波数の局部発信信号Ｓ１５とを乗算することにより、所定周波数の送信信号Ｓ１３に周波数変換し、これを送信ＲＦ部２７に送出する。
【００３１】
送信ＲＦ部２７は、送信信号Ｓ１３を電力増幅することにより所定の送信電力でなる送信信号Ｓ１４を生成し、これをセレクタ１２を介してアンテナ１１から電波として放射するようになされている。
【００３２】
一方、ＣＰＵバス３０に接続されたＣＰＵ（Central Processing Unit ）３７は、ＲＯＭ（Read Only Memory）４０に予め記憶された各種プログラムに基づく所定の処理をＲＡＭ（Random Access Memory）３９をワークエリアとして用いることにより実行し、その処理結果をＩ／Ｏコントローラ３１を介して表示部３２に表示するようになされている。
【００３３】
またＣＰＵ３７は、操作キー３３の入力操作に応じた命令をＩ／Ｏコントローラ３１を介して受けると、命令に従って例えば発呼処理や終話処理、着信履歴表示処理等の種々の処理を行うと共に、その処理結果を表示部３２に表示するようになされている。
【００３４】
さらにＣＰＵ３７は、操作キー３３の入力操作に応じた各種設定条件を書換可能なＥＥＰＲＯＭ（Electrically Erasable Programmable Read-Only Memory ）３８に格納するようになされており、電源がオフ状態になったときでも各種設定条件を記憶しておき、再度電源がオン状態になったときに同一の設定条件に設定し得るようになされている。
【００３５】
さらにＣＰＵ３７は、ＲＴＣ（Real Time Clock ）回路３６から供給されるシステムクロックＣＬＫ１に基づいて年月日及び時刻を計時し、その計時結果をＩ／Ｏコントローラ３１を介して表示部３２に表示したり、通信データのタイムスタンプやアラームのために用いるようになされている。
【００３６】
ところで携帯電話機５は、ハンズフリーヘッドセット７を介して携帯電話機６との間で音声通話を行うために、アンテナ１１で受信した後に復調部１７で復調処理した相手の携帯電話機６からの音声データＤ５をコーデック４１に送出する。
【００３７】
コーデック４１は、復調部１７、音声復号部１８、通信データ復号部２１、音声符号化部２３及び変調部２４で構成される部分と同様な機能を有しており、ＣＰＵ３７の制御の基に再度音声データＤ５を変調処理し、その結果得られる送信データＤ１５を送受信部４２に送出する。
【００３８】
送受信部４２は、受信ＲＦ部１３、ミキサ１４、受信インターフェース部１６、局部発信回路１５、送信インターフェース部１７、ミキサ２６及び送信ＲＦ部２７で構成される部分と同様な機能を有しており、送信データＤ１５をディジタル／アナログ変換し、周波数変換した後に所定の送信電力の送信信号Ｓ１６を生成し、これを近距離無線通信規格として定められている Bluetoothに準拠した無線通信方式の電波としてアンテナ４３からハンズフリーヘッドセット７へ放射するようになされている。
【００３９】
なお携帯電話機５のＣＰＵ３７は、ハンズフリーヘッドセット７を介して他の携帯電話機６との間で音声通話を行うために、ハンズフリーヘッドセット７の電源がユーザによって投入されると、まず最初にアンテナ４３を介してハンズフリーヘッドセット７との間でポーリング信号の交換を行った後、携帯電話機５からハンズフリーヘッドセット７へ送信信号Ｓ１６を直接送信するようになされている。
【００４０】
図３に示すようにハンズフリーヘッドセット７は、携帯電話機５のアンテナ４３から送信された送信信号Ｓ１６をアンテナ５１で受信信号Ｓ１７として受信し、これをセレクタ５２を介して受信ＲＦ部５３に入力する。
【００４１】
受信ＲＦ部５３は、受信信号Ｓ１７に対して帯域制限及びゲインコントロールを行うことにより適正な信号レベルの受信信号Ｓ１８を生成し、これをミキサー５４に送出する。
【００４２】
ミキサー５４は、受信ＲＦ部５３から供給された受信信号Ｓ１８と、局部発信回路５５から供給される所定周波数の局部発信信号Ｓ５５とを乗算することにより、所定周波数の受信信号Ｓ１９に周波数変換し、これを受信インターフェース部５６に送出する。
【００４３】
受信インターフェース部５６は、受信信号Ｓ１９をアナログ／ディジタル変換することによりディジタルの受信データＤ２０を生成し、これを復調部５７に送出する。
【００４４】
復調部５７は、受信データＤ２０に対して復調処理を施すと共に、デインターリーブ処理及びエラー訂正処理等を行うことによりフェージングの影響を除去した後、その結果得られるデータの種類判別を行い、復調結果の種類が音声データＤ２１であった場合には当該音声データＤ２１を音声復号部５８に送出し、復調結果の種類が通信データＤ２２であった場合には、当該通信データＤ２２を通信データ復号部６０に送出する。
【００４５】
音声復号部５８は、音声データＤ２１を伸長し復号処理した後、ディジタルアナログ変換することによりアナログの音声信号Ｓ２３を復元し、これをアンプ５９を介して所定の信号レベルに増幅した後、スピーカ７Ａ及び７Ｂを介して出力する。かくしてユーザは、ハンズフリーヘッドセット７のスピーカ７Ａ及び７Ｂを介して携帯電話機６から送られてくる相手ユーザの声を聞くことができる。
【００４６】
通信データ復号部６０は、通信データＤ２２を復号処理することにより最終的な元の通信データＤ２３を復元し、これを音声生成部６１に送出する。音声生成部６１は、通信データＤ２２がショートメッセージ用のテキストデータであった場合に、通信データＤ２２の内容に応じた音声信号Ｓ２４を合成し、これをアンプ５９に送出する。
【００４７】
これによりユーザは、ハンズフリーヘッドセット７のスピーカ７Ａ及び７Ｂを介して携帯電話機６から送られてくるショートメッセージの内容をコンピュータによって合成された音声で聞くことができる。因みに音声生成部６１は、通信データＤ２２がパケットデータであった場合には、何ら処理を行うことはない。
【００４８】
これに対してハンズフリーヘッドセット７は、マイクロフォン７Ｃを介して集音したユーザの音声信号Ｓ２５をアンプ６２によって所定の信号レベルに増幅することにより音声信号Ｓ２６を生成し、これを音声符号化部６３へ送出する。
【００４９】
音声符号化部６３は、音声信号Ｓ２６を所定のサンプリング周波数で符号化した後に圧縮し、所定ブロック毎に区分けすることによりディジタルの音声データＤ２７を生成し、これを変調回路６４へ送出する。
【００５０】
因みに音声符号化部６３は、音声データＤ２７を音声復号部５８にも送出するようになされており、相手の音声だけではなくユーザ自身の音声についてもスピーカ７Ａ及び７Ｂを介して出力するようになされている。
【００５１】
ところで音声認識部６９は、音声信号Ｓ２６に基づいて音声認識したショートメッセージの内容をテキストデータ化し、このテキストデータＤ２８を通信データ符号化部６８に送出する。通信データ符号化部６８は、テキストデータＤ２８を圧縮符号化することにより符号化通信データＤ２９を生成し、これを変調回路６４に送出する。
【００５２】
変調回路６４は、音声データＤ２７又は符号化通信データＤ２９に対してインターリーブ処理及び変調処理を施すことにより送信データＤ３０を生成し、これを送信インターフェース部６５へ送出する。送信インターフェース部６５は、送信データＤ３０をディジタル／アナログ変換することによりアナログの送信信号Ｓ３１を生成し、これをミキサ６６に送出する。
【００５３】
ミキサ６６は、送信インターフェース部６５から供給された送信信号Ｓ３１と、局部発信回路５５から供給される所定周波数の局部発信信号Ｓ５５とを乗算することにより、所定周波数の送信信号Ｓ３２に周波数変換し、これを送信ＲＦ部６７に送出する。
【００５４】
送信ＲＦ部６７は、送信信号Ｓ３２を電力増幅することにより所定の送信電力でなる送信信号Ｓ３３を生成し、これをセレクタ５２を介してアンテナ５１から近距離無線通信規格として定められている Bluetoothに準拠した無線通信方式の電波として携帯電話機５へ放射するようになされている。
【００５５】
これによりハンズフリーヘッドセット７は、ユーザによって入力された音声信号Ｓ２５やショートメッセージ用のテキストデータＤ２８を携帯電話機５へ送信することができる。
【００５６】
携帯電話機５（図２）は、アンテナ４３を介してハンズフリーヘッドセット７からの送信信号Ｓ３３を受信し、これを送受信部４２、コーデック４１から変調部２４、送信インターフェース部２５、ミキサ２６、送信ＲＦ部２７、セレクタ１２及びアンテナ１１を介して基地局３へ送信することにより、ハンズフリーヘッドセット７のマイクロフォン７Ｃを介して入力したユーザの音声やショートメッセージを携帯電話機６へ送信することができる。
【００５７】
ところでハンズフリーヘッドセット７においても、ＣＰＵバス７０に接続されたＣＰＵ７５は、ＲＯＭ７８に予め記憶された各種プログラムに基づく所定の処理をＲＡＭ７７をワークエリアとして用いることにより実行するようになされている。
【００５８】
またＣＰＵ７５は、操作ボタン７２の入力操作に応じた命令をＩ／Ｏコントローラ７１を介して受けると、命令に従って例えば電源オンオフ処理やスピーカ７Ａ及び７Ｂのボリューム調整処理等の種々の処理を行うようになされている。
【００５９】
さらにＣＰＵ７５は、操作ボタン７２の入力操作に応じた例えばボリューム調整処理等の各種設定条件を書換可能なＥＥＰＲＯＭ７６に格納するようになされており、電源がオフ状態になったときでも各種設定条件を記憶しておき、再度電源がオン状態になったときに同一の設定条件に設定し得るようになされている。
【００６０】
さらにＣＰＵ７５は、ＲＴＣ回路７４から供給されるシステムクロックＣＬＫ２に基づいて年月日及び時刻を計時し、その計時結果に基づいて通信データのタイムスタンプやアラームのために用いるようになされている。
【００６１】
なおハンズフリーヘッドセット７は、バッテリ駆動するようになされており、Ｉ／Ｏコントローラ７１によってバッテリ７３の電池残量の検出結果を常時ＣＰＵ７５に出力する。ＣＰＵ７５は、バッテリ７３の電池残量が所定量以下になったことを検出したときに、充電を促す所定のヘッドセット側警告音を生成し、スピーカ７Ａ及び７Ｂを介して出力するようになされている。
【００６２】
かかる構成に加えて携帯電話機５（図１）は、ハンズフリーヘッドセット７と同様にバッテリ駆動するようになされており、Ｉ／Ｏコントローラ３１によってバッテリ３５の電池残量の検出結果を常時ＣＰＵ３７に出力している。ＣＰＵ３７は、バッテリ３５の電池残量が所定量以下になったことを検出したときに、その旨を表示部３２に電池マークとして表示すると共に、充電を促すための警告信号Ｓ４０を生成し、これをコーデック４１に送出する。
【００６３】
コーデック４１は、ＣＰＵ３７の制御の基に警告信号Ｓ４０を変調処理し、その結果得られる送信データＤ４１を送受信部４２に送出する。
【００６４】
送受信部４２は、送信データＤ４１をディジタル／アナログ変換し、周波数変換した後に所定の送信電力の送信信号Ｓ４２を生成し、これを近距離無線通信規格として定められている Bluetoothに準拠した無線通信方式の電波としてアンテナ４３からハンズフリーヘッドセット７へ放射するようになされている。
【００６５】
ハンズフリーヘッドセット７は、携帯電話機５のアンテナ４３から送られてきた送信信号Ｓ４２をアンテナ５１で受信した後、セレクタ５２、受信ＲＦ部５３、ミキサ５４、受信インターフェース部５６、復調部５７及び音声復号部５８を介して所定の処理を実行することにより元の警告信号を復元し、ＣＰＵ７５によって当該警告信号に応じた所定の携帯側警告音を生成してアンプ５９及びスピーカ７Ａ及び７Ｂを介して出力するようになされている。
【００６６】
これによりハンズフリーヘッドセット７を装着しているユーザは、携帯電話機５におけるバッテリ３５の電池残量を当該携帯電話機５の表示部３２を確認することなく認識し得るようになされている。
【００６７】
また携帯電話機５は、ＣＰＵ３７が復調部１７からコーデック４１に音声データＤ５が供給されたことを検出すると、復調部１７での復調結果の種類が音声データＤ５であったことを認識し、着呼の内容が音声通話であることを示す通話着信信号を生成し、当該通話着信信号と音声データＤ５とを多重化してコーデック４１及び送受信部４２を介してアンテナ４３からハンズフリーヘッドセット７へ送信する。
【００６８】
これに対して携帯電話機５は、ＣＰＵ３７が通信データ復号部２１からＩ／Ｏコントローラ３１を介して表示部３２に通信データＤ７が供給されたことを検出すると、復調部１７での復調結果の種類がショートメッセージに相当する通信データＤ６であったことを認識し、着呼の内容がショートメッセージであることを示すショートメッセージ着信信号を生成し、当該ショートメッセージ着信信号をコーデック４１及び送受信部４２を介してアンテナ４３からハンズフリーヘッドセット７へ送信する。
【００６９】
さらに携帯電話機５は、ＣＰＵ３７が通信データ復号部２１からＩ／Ｏコントローラ３１を介してデータインターフェース３４に通信データＤ７が供給されたことを検出すると、復調部１７での復調結果の種類がコンピュータ等の外部装置で処理するためのパケットデータに相当する通信データＤ６であったことを認識し、着呼の内容が通信データであることを示すパケットデータ着信信号を生成し、当該パケットデータ着信信号をコーデック４１及び送受信部４２を介してアンテナ４３からハンズフリーヘッドセット７へ送信する。
【００７０】
ハンズフリーヘッドセット７は、携帯電話機５から直接送信されてきたバッテリー残量の警告信号Ｓ４０、通話着信信号、ショートメッセージ着信信号又はパケットデータ着信信号を受信すると、警告信号Ｓ４０、通話着信信号、ショートメッセージ着信信号又はパケットデータ着信信号にそれぞれ対応する携帯側警告音又は発信音をそれぞれ生成してスピーカ７Ａ及び７Ｂから出力することにより、携帯電話機５を保持していないユーザに対して携帯電話機５の各種状態を容易に認識させ得るようになされている。
【００７１】
（３）ハンズフリーヘッドセットによる携帯電話機の状態通知処理手順
続いて、ハンズフリーヘッドセット７による携帯電話機５の状態通知処理手順について図４のフロチャートを用いて説明する。すなわちハンズフリーヘッドセット７においては、ユーザによって電源が投入されると、図４に示すルーチンＲＴ１の開始ステップから入って次のステップＳＰ１に移る。
【００７２】
ステップＳＰ１においてハンズフリーヘッドセット７のＣＰＵ７５は、近距離無線通信規格として定められている Bluetoothに準拠した無線通信方式の電波として携帯電話機５のアンテナ４３から所定間隔毎に送信されているポーリング信号を受信したとき、ハンズフリーヘッドセット７と携帯電話機５とが直接無線接続されていると認識し得るようになされており、当該ポーリング信号に基づいて携帯電話機５との無線接続状態を検出し、次のステップＳＰ２に移る。
【００７３】
ステップＳＰ２においてハンズフリーヘッドセット７のＣＰＵ７５は、ハンズフリーヘッドセット７と携帯電話機５とが無線接続されているか否を判定する。ここで否定結果が得られると、このことは携帯電話機５からポーリング信号を受信しておらず、ハンズフリーヘッドセット７と携帯電話機５とが無線接続されていないことを表しており、このときハンズフリーヘッドセット７のＣＰＵ７５は次のステップＳＰ１２に移る。
【００７４】
ステップＳＰ１２においてハンズフリーヘッドセット７のＣＰＵ７５は、携帯電話機５と無線接続されていないので、非接続状態を示す非接続状態信号を発生し、当該非接続状態信号に応じた所定の非接続状態発信音を生成してスピーカ７Ａ及び７Ｂから出力することにより、ハンズフリーヘッドセット７と携帯電話機５とが無線接続されていないことをユーザに対して認識させた後、次のステップＳＰ５に移る。
【００７５】
これに対してステップＳＰ２で肯定結果が得られると、このことは携帯電話機５からポーリング信号を受信し、ハンズフリーヘッドセット７と携帯電話機５とが無線接続されていることを表しており、このときハンズフリーヘッドセット７のＣＰＵ７５は次のステップＳＰ３に移る。
【００７６】
ステップＳＰ３においてハンズフリーヘッドセット７のＣＰＵ７５は、当該ハンズフリーヘッドセット７を介して携帯電話機５により発呼又は着呼が行われたか否かの検出を行い、ステップＳＰ４で発呼又は着呼が行われたか否かを判定する。ここで否定結果が得られると、このことは携帯電話機５により発呼又は着呼が行われなかったことを表しており、このときハンズフリーヘッドセット７のＣＰＵ７５は次のステップＳＰ５に移る。
【００７７】
ステップＳＰ５においてハンズフリーヘッドセット７のＣＰＵ７５は、Ｉ／０コントローラ７１を介してバッテリー７３における電池残量の検出処理を行うと共に、携帯電話機５からアンテナ４３を介して送信された送信信号Ｓ４２を受信して復調することにより得られた警告信号に基づいて当該携帯電話機５のバッテリー３５における電池残量の検出処理を行い、次のステップＳＰ６に移る。
【００７８】
ステップＳＰ６においてハンズフリーヘッドセット７のＣＰＵ７５は、当該ハンズフリーヘッドセット７のバッテリー７３又は携帯電話機５のバッテリー３５の電池残量が規定量以下であるか否かを判定する。
【００７９】
ここで否定結果が得られると、このことはハンズフリーヘッドセット７のバッテリー７３及び携帯電話機５のバッテリー３５の電池残量共に規定量以下にはなっておらず、十分に電池残量があることを表しており、このときハンズフリーヘッドセット７のＣＰＵ７５は次のステップＳＰ１０に移る。
【００８０】
これに対してステップＳＰ６で肯定結果が得られると、このことは少なくともハンズフリーヘッドセット７のバッテリー７３又は携帯電話機５のバッテリー３５のいずれかの電池残量が規定量以下になっていて、充電する必要があることを表しており、このときハンズフリーヘッドセット７のＣＰＵ７５は次のステップＳＰ７に移る。
【００８１】
ステップＳＰ７においてハンズフリーヘッドセット７のＣＰＵ７５は、規定量以下の電池残量になったものが携帯電話機５であるか否かを判定する。ここで肯定結果が得られると、このことは携帯電話機５におけるバッテリー３５の電池残量が規定量以下になっていることを表しており、このときハンズフリーヘッドセット７のＣＰＵ７５は次のステップＳＰ８に移る。
【００８２】
ステップＳＰ８においてハンズフリーヘッドセット７のＣＰＵ７５は、携帯電話機５からアンテナ４３を介して送信された送信信号Ｓ４２を受信して復調することにより得られた警告信号に基づいて、携帯電話機５におけるバッテリー３５の電池残量が少なく充電する必要があることを示す所定の携帯側警告音を発生し、これをスピーカ７Ａ及び７Ｂを介して出力することにより、携帯電話機５のバッテリー３５を充電する必要があることをユーザに対して認識させた後、次のステップＳＰ１０に移る。
【００８３】
これに対してステップＳＰ７で否定結果が得られると、このことは携帯電話機５のバッテリー３５ではなく、ハンズフリーヘッドセット７におけるバッテリー７３の電池残量が規定量以下になっていることを表しており、このとき当該ハンズフリーヘッドセット７のＣＰＵ７５は次のステップＳＰ９に移る。
【００８４】
ステップＳＰ９においてハンズフリーヘッドセット７のＣＰＵ７５は、バッテリー７３の電池残量が少なく充電する必要があることを示す所定のヘッドセット側警告音を発生し、これをスピーカ７Ａ及び７Ｂを介して出力することにより、バッテリー７３を充電する必要があることをユーザに対して認識させた後、次のステップＳＰ１０に移る。
【００８５】
ステップＳＰ１０においてハンズフリーヘッドセット７のＣＰＵ７５は、予め設定された所定の待機時間経過後まで上述のステップＳＰ５以降の電池残量の検出処理を行わずに待機し、次のステップＳＰ１１に移る。
【００８６】
ステップＳＰ１１においてハンズフリーヘッドセット７のＣＰＵ７５は、待機時間が経過したか否かを判定する。ここで否定結果が得られると、このことは待機時間が未だ経過していないことを表しており、このときハンズフリーヘッドセット７のＣＰＵ７５は待機時間が経過するまで待ち受ける。
【００８７】
これに対してステップＳＰ１１で肯定結果が得られると、このことは待機時間が既に経過したことを表しており、このときハンズフリーヘッドセット７のＣＰＵ７５は上述のステップＳＰ５以降の電池残量の検出処理を再度繰り返した後、ステップＳＰ２１に移り、ユーザによる電源オフ操作に応じて電池残量の検出処理を終了する。
【００８８】
このようにハンズフリーヘッドセット７のＣＰＵ７５は、所定の待機時間毎にインターバルを設けて電池残量の検出処理を行うことにより、無駄に消費電力を増大することがないようになされている。
【００８９】
一方、ステップＳＰ４で肯定結果が得られると、このことはハンズフリーヘッドセット７に発呼又は着呼のいずれかがあったことを表しており、このときハンズフリーヘッドセット７のＣＰＵ７５は次のステップＳＰ１３に移る。
【００９０】
ステップＳＰ１３においてハンズフリーヘッドセット７のＣＰＵ７５は、現在携帯電話機５を介して他の携帯電話機６や有線電話機と通話中であるか否かを判定する。ここで肯定結果が得られると、このことは通話中であることを表しており、このときハンズフリーヘッドセット７のＣＰＵ７５はステップＳＰ５以降の電池残量の検出処理に移る。
【００９１】
これによりハンズフリーヘッドセット７のＣＰＵ７５は、携帯電話機５を介して他の携帯電話機６や有線電話機と通話中に電池切れが生じることのないように携帯側警告音又はヘッドセット側警告音を出力することができる。
【００９２】
これに対してステップＳＰ１３で否定結果が得られると、このことは通話中ではなく携帯電話機５が待ち受け状態にあることを表しており、このときハンズフリーヘッドセット７のＣＰＵ７５は次のステップＳＰ１４に移る。
【００９３】
ステップＳＰ１４においてハンズフリーヘッドセット７のＣＰＵ７５は、待ち受け状態において携帯電話機５に着呼があったか否かを判定する。ここで否定結果が得られると、このことは通話中でもなければ待ち受け状態でもないので、ユーザによって携帯電話機５の電源がオフされたことを表しており、このときハンズフリーヘッドセット７のＣＰＵ７５はステップＳＰ２１に移って携帯電話機５の状態通知処理手順を終了する。
【００９４】
これに対してステップＳＰ１４で肯定結果が得られると、このことは携帯電話機５からアンテナ５１を介して受信信号Ｓ１７を受信したことを表しており、このときハンズフリーヘッドセット７のＣＰＵ７５は次のステップＳＰ１５に移る。
【００９５】
ステップＳＰ１５においてハンズフリーヘッドセット７のＣＰＵ７５は、携帯電話機５から受信した受信信号Ｓ１７に対して受信ＲＦ部５３、ミキサ５４、受信インターフェース部５６及び復調部５７を介して所定の処理を実行することにより得た復調結果が音声データＤ２１であるか否かを判定する。
【００９６】
ここで否定結果が得られると、このことは復調結果が音声データＤ２１ではないのでショートメッセージ又はパケットデータのいずれかであることを表しており、このときハンズフリーヘッドセット７のＣＰＵ７５は次のステップＳＰ１７に移る。
【００９７】
これに対してステップＳＰ１５で肯定結果が得られると、このことは復調結果が音声データＤ２１であることを表しており、このときハンズフリーヘッドセット７のＣＰＵ７５は次のステップＳＰ１６に移る。
【００９８】
ステップＳＰ１６においてハンズフリーヘッドセット７のＣＰＵ７５は、復調結果が音声データＤ２１なので着呼の内容が音声通話であることを示す通話着信信号を発生し、当該通話着信信号に基づいて通話着信用発信音を生成し、これをスピーカ７Ａ及び７Ｂを介して出力することにより、携帯電話機５に音声通話の着呼があったことをユーザに対して認識させた後、次のステップＳＰ１７に移る。
【００９９】
ステップＳＰ１７においてハンズフリーヘッドセット７のＣＰＵ７５は、受信信号Ｓ１７に対する復調結果が携帯電話機５を宛て先とするショートメッセージであるか否かを判定する。ここで否定結果が得られると、このことは復調結果がテキストデータのショートメッセージではないことを表しており、このときハンズフリーヘッドセット７のＣＰＵ７５は次のステップＳＰ１９に移る。
【０１００】
これに対してステップＳＰ１７で肯定結果が得られると、このことは復調結果がテキストデータのショートメッセージであることを表しており、このときハンズフリーヘッドセット７のＣＰＵ７５は次のステップＳＰ１８に移る。
【０１０１】
ステップＳＰ１８においてハンズフリーヘッドセット７のＣＰＵ７５は、着呼の内容がショートメッセージであることを示すショートメッセージ着信信号を発生し、当該ショートメッセージ着信信号に基づいてショートメッセージ用発信音を生成し、これをスピーカ７Ａ及び７Ｂを介して出力することにより、携帯電話機５にショートメッセージの着呼があったことをユーザに対して認識させた後、次のステップＳＰ１９に移る。
【０１０２】
ステップＳＰ１９においてハンズフリーヘッドセット７のＣＰＵ７５は、受信信号Ｓ１７に対する復調結果が外部装置であるコンピュータを宛て先とするデータ通信用のパケットデータであるか否かを判定する。ここで否定結果が得られると、このことは復調結果がパケットデータではないことを表しており、このときハンズフリーヘッドセット７のＣＰＵ７５は次のステップＳＰ２１に移って処理を終了する。
【０１０３】
これに対してステップＳＰ１９で肯定結果が得られると、このことは復調結果がパケットデータであることを表しており、このときハンズフリーヘッドセット７のＣＰＵ７５は次のステップＳＰ２０に移る。
【０１０４】
ステップＳＰ２０においてハンズフリーヘッドセット７のＣＰＵ７５は、着呼の内容がパケットデータであることを示すパケットデータ着信信号を発生し、当該パケットデータ着信信号に基づいてパケットデータ用発信音を生成し、これをスピーカ７Ａ及び７Ｂを介して出力することにより、携帯電話機５にパケットデータの着呼があったことをユーザに対して認識させた後、次のステップＳＰ２１に移って処理を終了する。
【０１０５】
（４）実施の形態における動作及び効果
以上の構成において、ハンズフリーヘッドセット７は、 Bluetoothに準拠した近距離無線通信方式の電波によって携帯電話機５と無線接続されており、当該携帯電話機５からポーリング信号を受信したときに、認識手段としてのＣＰＵ７５はハンズフリーヘッドセット７と携帯電話機５とが無線接続されていると認識することができる。
【０１０６】
従ってハンズフリーヘッドセット７は、携帯電話機５からポーリング信号を受信し得ない場合、非接続状態信号に応じた所定の非接続状態発信音を生成してスピーカ７Ａ及び７Ｂを介して出力することにより、 Bluetoothに準拠した近距離無線通信方式の電波を携帯電話機５から受信し得ない程度に互いの距離が離れてしまっているか、もしくは携帯電話機５の電源が投入されていないかのいずれかであることをユーザに対して容易に認識させることができる。
【０１０７】
またハンズフリーヘッドセット７は、携帯電話機５とが無線接続された状態で、当該携帯電話機５から受信した受信信号Ｓ１７を復調することにより得られた警告信号を検出したとき、携帯電話機５におけるバッテリ３５の電池残量が規定量以下であることを促す携帯側警告音を生成して出力することにより、ユーザに対して充電する必要があることを認識させて通話中における電池切れを未然に防止することができる。
【０１０８】
さらにハンズフリーヘッドセット７は、携帯電話機５とが無線接続された状態で、当該携帯電話機５に対する着呼内容が音声通話、ショートメッセージ又はデータ通信用のパケットデータのいずれであるかを、携帯電話機５から受信した受信データＳ１７の復調結果に基づいて認識し、その認識結果にそれぞれ対応する発信音をスピーカ７Ａ及び７Ｂを介して出力することにより、ユーザに対して着呼内容を容易に認識させることができる。
【０１０９】
すなわちハンズフリーヘッドセット７は、携帯電話機５に対する着呼内容を当該携帯電話機５の表示部３２を視認することなく発信音の種類によって直感的に認識することができ、携帯電話機５を取り出して表示部３２を視認するような煩雑な操作をユーザに強いることがない。
【０１１０】
以上の構成によれば、ハンズフリーヘッドセット７は、携帯電話機５から Bluetoothに準拠した近距離無線通信方式の電波によって受信した受信データＳ１７に基づいて携帯電話機５の状態を認識し、その認識結果を警告音や発信音によって通知することにより、ユーザに対して携帯電話機５の状態を容易に認識させることができる。
【０１１１】
（５）他の実施の形態
なお上述の実施の形態においては、本発明を電子機器本体としての携帯電話機５と無線接続されたハンズフリーヘッドセット７に適用するようにした場合について述べたが、本発明はこれに限らず、例えばノートブック型パーソナルコンピュータ、ＰＤＡ又は車載用のカーナビゲーション装置と無線接続されたハンズフリーヘッドセット７に適用するようにしても良い。この場合にも、上述の実施の形態と同様の効果を得ることができる。
【０１１２】
また上述の実施の形態においては、携帯電話機５からハンズフリーヘッドセット７に対して送られるポーリング信号に基づいて携帯電話機５とハンズフリーヘッドセット７との接続状態を検出するようにした場合について述べたが、本発明はこれに限らず、携帯電話機５からハンズフリーヘッドセット７に対して定期的に送られる信号であれば他の種々の信号に基づいて携帯電話機５とハンズフリーヘッドセット７との接続状態を検出するようにしても良い。
【０１１３】
さらに上述の実施の形態においては、ハンズフリーヘッドセット７が携帯電話機５の電池残量や着呼の内容を認識してユーザに通知するようにした場合について述べたが、本発明はこれに限らず、携帯電話機５と基地局３との電波の受信状態が圏外であることを認識したときにユーザに通知するようにしても良い。
【０１１４】
さらに上述の実施の形態においては、ハンズフリーヘッドセット７が携帯電話機５の電池残量や着呼内容を認識して通知手段としてのスピーカ７Ａ及び７Ｂを介してユーザに携帯側警告音やヘッドセット側警告音あるいは所定の発信音で通知するようにした場合について述べたが、本発明はこれに限らず、予め録音された音声や、コンピュータで合成された音声によって通知したり、あるいはマイクロフォン７Ｃの近傍に発光ダイオードを取り付けて点滅させることによって通知するようにしても良い。
【０１１５】
さらに上述の実施の形態においては、携帯電話機５とハンズフリーヘッドセット７とを Bluetoothに準拠した近距離無線通信方式の電波によって無線接続するようにした場合について述べたが、本発明はこれに限らず、赤外線通信方式等の他の種々の近距離無線通信方式で無線接続するようにしても良い。
【０１１６】
さらに上述の実施の形態においては、本発明の携帯型補助端末をハンズフリーヘッドセット７に適用するようにした場合について述べたが、本発明はこれに限らず、ヘッドマウントディスプレイ等の電子機器本体から受信した受信データに対して所定の処理を実行するものであれば他の種々の携帯型補助端末に本発明を適用するようにしても良い。
【０１１７】
【発明の効果】
上述のように本発明によれば、携帯電話機と無線接続状態にあって、かつ携帯電話機が通話中であるときに、携帯電話機の電池残量又は自身のバッテリの電池残量が規定量以下であることを検出すると、携帯側警告音又は自身側警告音を出力することにより、通話中に電池切れが生じる可能性があることを予め通知することができ、かくして使い勝手の優れたハンズフリーヘッドセットを実現できる。
【図面の簡単な説明】
【図１】ディジタル携帯電話システムの全体構成を示す略線的概略図である。
【図２】携帯電話機の回路構成を示すブロック図である。
【図３】ハンズフリーヘッドセットの回路構成を示すブロック図である。
【図４】ハンズフリーヘッドセットによる携帯電話機の状態通知処理手順を示すフローチャートである。
【符号の説明】
１……ディジタル携帯電話システム、２……公衆回線網、３、４……基地局、５、６……携帯電話機、７……ハンズフリーヘッドセット、３７、７５……ＣＰＵ、５Ａ、７Ａ、７Ｂ……スピーカ、１１、４３、５１……アンテナ、３５、７３……バッテリ、４１……コーデック、４２……送受信部。
【図１】
0004423522.tif 000002
【図２】
0004423522.tif 000003
【図３】
0004423522.tif 000004
【図４】
0004423522.tif 000005